(57)【特許請求の範囲】
【請求項１】
一端は固定突起を形成し、中心部に長さ方向の溝を形成し、アークの移動経路を提供するアークガイダー（Ａｒｃ  Ｇｕｉｄｅｒ）と、
主接点、前記主接点と離隔されたアーク接点及び挿入溝を順次に具備し、前記挿入溝は、前記アークガイダーを収容する固定子と、
前記挿入溝の両端に形成され、外部からの力により前記収容されたアークガイダー方向に屈折して、前記固定突起が抜けないようにし、前記外部からの力による三角のＶ字型溝跡が形成された複数の突起固定部と
を備える起重遮断機。
【請求項２】
前記三角のＶ字型溝跡のうちの何れか一つは、前記アークガイダーにある溝間の前記アーク接点と遠い突起固定部に形成され、前記三角のＶ字型溝跡のうち、残りは、前記アーク接点と近い突起固定部に形成されることを特徴とする請求項１に記載の起重遮断機。
【請求項３】
前記突起固定部は、前記アーク接点をコーキング（ｃａｕｋｉｎｇ）処理して形成されることを特徴とする請求項１に記載の起重遮断機。
【請求項４】
前記突起固定部は、前記固定突起と噛合う引っかかり部であることを特徴とする請求項３に記載の起重遮断機。
【請求項５】
前記アークガイダーの一端に貫通孔が形成されたことを特徴とする請求項１ないし４のうちの何れか１項に記載の起重遮断機。
【発明の詳細な説明】
【技術分野】
【０００１】
開示された技術は、起重遮断機に関し、特に、固定子とアークガイダーとを溶接せずに両方向に圧着して固定でき、起重遮断機の長時間に渡った繰り返し的な開閉動作による衝撃にもかかわらず、アークガイダーが歪まないか、固定子から離脱しない起重遮断機に関する。
【背景技術】
【０００２】
一般に、起重遮断機（ＡＣＢ：Ａｉｒ  Ｃｉｒｃｕｉｔ  Ｂｒｅａｋｅｒ）は、ビル、工場、船舶などが産業プラントまたは発電機を保護するために使用される配線設備である。
【０００３】
起重遮断機の内部導体は、稼動導体部と固定導体部とに大別されるが、動力源であるメカニズムにより稼動子が回転運動しながら稼動導体部と固定導体部とが互いに対向しながら接触するようになっている構造であって、接触部に電流が通電するようになる。
【０００４】
図１は、従来の起重遮断機の固定子とアークランナーとを固定する方法を示す図である。図１に示すように、従来の起重遮断機１００は、固定接触子１１０とアークランナー１２０とを溶接して固定する。
【０００５】
一般に固定接触子１１０は、銀の材質からなるので、固定接触子１１０とアークランナー１２０とを溶接するためには、アークランナー１２０も銀の材質からならなければならず、銀ろうで溶接しなければならない。したがって、このような従来の起重遮断機１００は、費用が多くかかり、溶接のための別途の工程が追加されて製作時間が長くなるという短所がある。
【０００６】
図２は、韓国特許公開公報第１０−２００９−００２０３９４号に開示された技術であって、従来の片方の方向を圧着して固定する起重遮断機を示す図である。
【０００７】
図２に示すように、片方の方向を圧着して固定する起重遮断機２００は、主接点２１１とアーク接点２１２とを有する固定接触子２１０、一端に固定突起２２１を有するアークランナー２２０、及び前記固定突起２２１を固定させる突起固定手段２３０を備える。従来の片方の方向を圧着して固定する起重遮断機２００は、突起固定手段２３０を圧着してアークランナー２２０を固定接触子２１０に固定する。したがって、従来の起重遮断機１００のように溶接を行わなくても固定接触子２１０とアークランナー２２０とを固定できる。
【０００８】
しかしながら、起重遮断機２００は、長時間の間に数多くの開閉動作を行うので、固定子２１０に衝撃が持続的に加えられる。したがって、従来の片方の方向を圧着して固定する起重遮断機２００は、アークランナー２２０が歪むか、または固定子２１０から離脱されうるという短所がある。
【０００９】
そのため、溶接しなくても固定子とアークランナーとを固定することができ、固定子に持続的な衝撃が加えられてもアークランナーが歪まないか、または固定子から離脱しない起重遮断機が切実に必要となる。
【発明の概要】
【００１０】
本出願は、上述した問題点を解決するためになされたものであって、固定子とアークガイダーとを溶接しなくて両方向に圧着して固定でき、起重遮断機の長時間に渡った繰り返し的な開閉動作による衝撃にもかかわらず、アークガイダーが歪まないか、または固定子から離脱しない起重遮断機を提供することを目的とする。
【００１１】
実施の形態のうち、起重遮断機は、一端は固定突起を形成し、中心部に長さ方向の溝を形成し、アークの移動経路を提供するアークガイダー（Ａｒｃ  Ｇｕｉｄｅｒ）と、主接点、前記主接点と離隔されたアーク接点及び挿入溝を順次に具備し、前記挿入溝は、前記アークガイダーを収容する固定子と、前記挿入溝の両端に形成され、外部からの力により前記収容されたアークガイダー方向に屈折して、前記固定突起が抜けないようにし、前記外部からの力による三角のＶ子状溝跡が形成された複数の突起固定部とを備える。
【００１２】
一実施の形態において、起重遮断機は、前記三角のＶ子状溝跡のうちの何れか一つは、前記アークガイダーにある溝間の前記アーク接点と遠い突起固定部に形成され、前記三角のＶ字型溝跡のうち、残りは、前記アーク接点と近い突起固定部に形成されることができる。
【００１３】
前記突起固定部は、前記アーク接点をコーキング（ｃａｕｋｉｎｇ）処理して形成されることができる。
【００１４】
一実施の形態において、前記突起固定部は、前記固定突起と噛合む引っかかり部であることを特徴とすることができる。
【００１５】
一実施の形態において、前記アークガイダーは、一端に貫通孔が形成されることができる。
（発明の効果）
【００１６】
本出願の開示された技術によれば、アークガイダーを両方向に圧着して固定することによって、起重遮断機の長時間に渡った繰り返し的な開閉動作による衝撃にもかかわらず、アークガイダーが歪まないか、または固定子から離脱しないという効果がある。
【００１７】
また、本出願の開示された技術によれば、固定子とアークガイダーとを溶接しなくて固定するから、起重遮断機の製作時間を短縮させることができ、製造単価を低くすることができるという効果がある。
【図面の簡単な説明】
【００１８】
【図１】従来の起重遮断機を示す図である。
【図２】従来の片方の方向を圧着して固定する起重遮断機を示す図である。
【図３】開示された本発明の一実施の形態に係る起重遮断機を示す図である。
【図４】図３の複数の突起固定部の位置を示す図である。
【図５】図３の起重遮断機の固定子とアークガイダーとを固定させる方法を示す図である。
【図６】図３の固定突起と複数の突起固定部とを示す側面拡大図である。
【発明を実施するための形態】
【００１９】
開示される技術に関する説明は、構造的ないし機能的説明のための実施の形態に過ぎないので、開示された技術の権利範囲は、本文に説明された実施の形態によって制限されるものと解析されてはならない。すなわち、実施の形態は、多様な変更が可能であり、様々な形態を有することができるから、開示された技術の権利範囲は、技術的思想を実現できる均等物を含むものと理解されなければならない。
【００２０】
一方、本出願において述べられる用語の意味は、以下のように理解されねばならない。
【００２１】
「第１」、「第２」などの用語は、一つの構成要素を他の構成要素から区別するためのものであって、これらの用語により権利範囲が限定されてはならない。例えば、第１構成要素は、第２構成要素と名づけられることができ、同様に第２構成要素も第１構成要素と名づけられることができる。
【００２２】
「及び／または」の用語は、一つ以上の関連項目から提示可能なすべての組み合わせを含むものと理解されねばならない。例えば、「第１項目、第２項目及び／または第３項目」の意味は、第１、第２または第３項目だけでなく、第１、第２または第３項目のうち、２個以上から提示されうるすべての項目の組み合わせを意味する。
【００２３】
ある構成要素が他の構成要素に「接続」しているとするときには、その他の構成要素に直接的に接続している場合だけでなく、その中間に他の素子を介在している場合もあると理解されねばならない。また、ある構成要素がある構成要素に「直接接続」していると言及されるとき、中間に他の構成要素が存在しないと理解されなければならない。一方、構成要素間の関係を説明する他の表現、すなわち、「〜の間に」と「ちょうど〜の間に」または「〜に隣接する」と「〜に直接隣接する」なども同様に解釈されねばならない。
【００２４】
単数の表現は、文脈上明らかに異なって意味しない限り、複数の表現を含むものと理解されねばならなく、「含む」または「有する」などの用語は、説示された特徴、数字、ステップ、動作、構成要素、部分品またはこれらを組み合わせたものが存在することを指定しようとすることであり、一つまたはそれ以上の他の特徴や数字、ステップ、動作、構成要素、部分品またはそれらを組み合わせたものの存在または付加可能性を予め排除しないものと理解されねばならない。
【００２５】
ここで使用されるすべての用語は、別に定義されない限り、開示された技術が属する分野における通常の知識を有した者により、一般に理解されるものと同一の意味を有する。一般に使用される、事前に定義されている用語は、関連技術の文脈上有する意味と一致するものと理解されなければならず、本出願において明らかに定義しない限り、理想的または過度に形式的な意味を有するものと解析されてはならない。
【００２６】
図３は、開示された発明の一実施の形態による起重遮断機を示す図である。
【００２７】
図３に示すように、起重遮断機３００は、一端は固定突起３１１を形成し、アークの移動経路を提供するアークガイダー（Ａｒｃ  Ｇｕｉｄｅｒ）３１０、主接点３２１、アーク接点３２２及び挿入溝３２３を有する固定子３２０、挿入溝３２３の両端に形成される複数の突起固定部３３０を備える。
【００２８】
アークガイダー３１０は、固定子３２から発生したアークを消弧機構（図示せず）に移動させる移動経路を提供する。アークガイダー３１０は、一端に固定突起３１１を形成し、中心部に長さ方向に溝３１２を形成する。
【００２９】
一実施の形態において、アークガイダー３１０は、フレーム（図示せず）に結合されうるように、一端に貫通孔３１３が形成されることができる。一実施の形態において、固定突起３１１は、アークガイダー３１０を固定子３２０に挿入した場合、アークガイダー３１０の一端と複数の突起固定部３３０がそれぞれ当接する部分に形成されることができる。
【００３０】
固定子３２０は、四角板状に形成され、主接点３２１、主接点３２１と離隔されたアーク接点３２２及び挿入溝３２３を順次に具備する。主接点３２１は、固定子３２０の一端に突出して形成される。アークガイダー３２２は、主接点３２１と離隔されて固定子３２０の一端に突出して形成される。挿入溝３２３は、固定子３２０の一端に形成され、アークガイダー３１０の一端を収容する。
【００３１】
図４は、図３の複数の突起固定部の位置を示す図である。
【００３２】
図４に示すように、複数の突起固定部３３０は、挿入溝３２３の両端に形成される。複数の突起固定部３３０は、外部からの力により収容されたアークガイダー３１０の方向に屈折する。屈折した複数の突起固定部３３０は、固定突起３１１が外れないようにし、複数の突起固定部３３０は、外部からの力による三角のＶ子状溝跡３３１が形成される。
【００３３】
一実施の形態において、三角のＶ子状溝跡のうちの何れか一つは、アークガイダー３１０にある溝間のアーク接点３２２と遠い突起固定部３３０ａに形成され、三角のＶ子状溝跡のうち、残りは、アーク接点３２２と近い突起固定部３３０ｂに形成されることができる。一実施の形態において突起固定部３３０は、アーク接点３１０をコーキング（ｃａｕｋｉｎｇ）処理して形成されることができる。一実施の形態において、突起固定部３３０は、固定突起と噛み合う引っかかり部であることを特徴とすることができる。
【００３４】
よって、アークガイダー３１０を両方向に圧着して固定することによって、起重遮断機の長時間に渡った繰り返し的な開閉動作による衝撃にもかかわらず、アークガイダー３１０が歪まないか、または固定子３２０から離脱しないという効果がある。
【００３５】
図５は、図３の起重遮断機の固定子とアークガイダーとを固定させる方法を示す図であり、図６は、図３の固定突起と複数の突起固定部とを示す側面拡大図である。
【００３６】
図５及び図６に示すように、アークガイド３１０を固定子３２０の挿入溝３２３に挿入し、複数の突起固定部３３０を三角ヘッダ状の圧着ジグ６００で圧着すると、複数の突起固定部３３０は、三角のＶ子状溝跡３３１が形成され、収容されたアークガイダー３１０の方向に屈折する。屈折した複数の突起固定部３３０は、固定突起３１１が抜けないように固定する。
【００３７】
よって、アークガイダーを両方向に圧着して固定することによって、起重遮断機の長時間に渡った繰り返し的な開閉動作による衝撃にもかかわらず、アークガイダーが歪まないか、固定子から離脱しないという効果がある。
【００３８】
また、固定子とアークガイダーとを溶接せずに固定して起重遮断機の製作時間を短縮させることができ、製造単価を低くすることができるという効果がある。
【００３９】
以上、本出願の好ましい実施の形態を参照して説明したが、該当技術分野の熟練した当業者は、下記の特許請求の範囲に記載された本出願の思想及び領域から逸脱しない範囲内で本出願を多様に修正及び変更させうることを理解できるはずである。
【図２】
0005787266.tif 000002
【図３】
0005787266.tif 000003
【図４】
0005787266.tif 000004
【図５】
0005787266.tif 000005
【図６】
0005787266.tif 000006
【図１】
0005787266.tif 000007